(57)【特許請求の範囲】
【請求項１】
高圧側ケーブルの接続材料が水平部に装着され、首長垂直モールド部を有し、かつ前記首長垂直モールド部の下方位置にベルマウス部を有する、モールド部表面に導電塗料が塗布されたＴ形の高圧ブッシングを、変圧器本体ケースの上壁外面に設置し、前記変圧器本体ケース内の絶縁媒体は、その油面が、前記ベルマウス部の下方位置より上方の位置とされるまで充満され、前記変圧器本体ケース内の上部空間部には、不活性ガスが充満され、前記首長垂直モールド部の前記上部空間部に位置する部分には変流器を設置したことを特徴とする変圧器。
【発明の詳細な説明】
【０００１】
【発明の属する技術分野】
本発明は、変電所などで使用される変圧器に関するものであり、特に、巻線及び鉄心等を収容した変圧器本体ケース内に絶縁媒体としての油及び六フッ化イオウ（ＳＦ6）ガスのような不活性ガスを封入した変圧器に関するものである。
【０００２】
【従来の技術】
従来、変圧器は、種々の構造のものが使用されているが、例えば変電所で降圧のために使用される変圧器においては、巻線及び鉄心等の変圧器構成部品を絶縁し、又、直接冷却するために、これらを密封タンクとされる変圧器本体ケース内に納め、ケース内には油を封入した構造のものがある。その一例を図３に示す。
【０００３】
本例によると、変圧器１００は、変圧器本体ケース１０１を有し、その中に巻線及び鉄心等の変圧器構成部品１０２が収納されている。変圧器本体ケース１０１内には、絶縁媒体として油１０３が充填され、ケース１０１の上部空間部には、油１０３が空気と接触して劣化するのを防止するために、不活性ガス、例えば六フッ化イオウ（ＳＦ6）ガス１０４が充満されている。この六フッ化イオウ（ＳＦ6）ガス１０４を充満したケース１０１の上部空間部は、管１０６により、ケース上壁外面１０１Ａに設置したコンサベータ１０５と連通されている。
【０００４】
変圧器本体ケース１０１内の油１０３は、周囲温度及び負荷の変化に伴い、その温度が変化し、従って、その容積が膨張、収縮して変動するが、このような油１０３の膨張、収縮は、六フッ化イオウ（ＳＦ6）ガス１０４を貯留したコンサベータ１０５により吸収される。
【０００５】
又、ケース１０１の上壁外面１０１Ａには、高圧ブッシング１が取り付けられており、低圧ブッシング１０７は、例えばケース１０１の側壁面１０１Ｂに設置されている。
【０００６】
斯かる変圧器１００に使用されている高圧ブッシング、即ち、Ｔ形ブッシング１は、内部にＴ形状の接続導体３を一体に成型した、通常エポキシ樹脂で作製されたＴ形ブッシングモールド２を有し、支持金具４にて変圧器本体ケース１０１に固定される。
【０００７】
Ｔ形ブッシングモールド２の水平部２Ａには、本例では図面右側には高圧側ケーブル３０の通電接続部、即ち、ケーブル接続材料（オス側）３１が装着され、又、他方側（図面左側）には絶縁栓５０が装着されている。
【０００８】
変圧器本体ケース１０１内にて、高圧ブッシング１の接続端子６は、ケース内にて変圧器入力端子１０８に接続される。又、低圧ブッシング１０７の接続端子１０９は、変圧器の出力端子１１０に接続される。
【０００９】
更に、上記構成の従来の変圧器１００は、高圧ブッシング１に隣接して変流器２００が設置されており、送電ケーブル３０に流れる電流を計測して送電状態を常時監視している。
【００１０】
【発明が解決しようとする課題】
上述のように構成された従来の変圧器１００は、変圧器本体ケース１０１の上部に、コンサベータ１０５、変流器２００などが設置されており、変圧器１００の大型化の一因となっており、小型化が望まれていた。
【００１１】
更に、変圧器１００に送電ケーブル３０を接続する作業においては、高圧ブッシング１に接続される送電ケーブル３０に変流器２００を装着しなければならないといった作業上の煩雑さがあった。
【００１２】
従って、本発明の目的は、コンサベータを不要とし、更に、変圧器本体ケース内に変流器を備えており、小型化を達成すると共に、変圧器に送電ケーブルを接続するに際しての作業上の煩雑さをもなくすることのできる変圧器を提供することである。
【００１３】
【課題を解決するための手段】
上記目的は本発明に係る変圧器にて達成される。要約すれば、本発明によれば、高圧側ケーブルの接続材料が水平部に装着され、首長垂直モールド部を有し、かつ前記首長垂直モールド部の下方位置にベルマウス部を有する、モールド部表面に導電塗料が塗布されたＴ形の高圧ブッシングを、変圧器本体ケースの上壁外面に設置し、前記変圧器本体ケース内の絶縁媒体は、その油面が、前記ベルマウス部の下方位置より上方の位置とされるまで充満され、前記変圧器本体ケース内の上部空間部には、不活性ガスが充満され、前記首長垂直モールド部の前記上部空間部に位置する部分には変流器を設置したことを特徴とする変圧器が提供される。
【００１５】
【発明の実施の形態】
以下、本発明に係る変圧器を図面に則して更に詳しく説明する。
【００１６】
図１に本発明の変圧器１００の一実施例を示す。本実施例によると、従来と同様に、変圧器１００は、密封された変圧器本体ケース１０１を有し、その中に巻線及び鉄心等の変圧器構成部品１０２が収納されている。変圧器本体ケース１０１内には、絶縁媒体としての油１０３が充填され、ケース１０１の上部空間部には、油１０３が空気と接触して劣化するのを防止するために、不活性ガス、例えば六フッ化イオウ（ＳＦ6）ガス１０４が充満されている。
【００１７】
本発明の変圧器１００によれば、ケース１０１の上壁外面１０１Ａには、高圧ブッシング１が取り付けられているが、従来、ケース上壁外面１０１Ａに設置されていたコンサベータ１０５（図３）は設けられていない。低圧ブッシング１０７は、例えば、ケース１０１の側壁面１０１Ｂに設置されている。
【００１８】
本発明に使用される高圧ブッシング、即ち、Ｔ形ブッシング１の一実施例を図２をも参照して説明する。
【００１９】
Ｔ形ブッシング１は、内部にＴ形状の接続導体３を一体に成型した、通常エポキシ樹脂で作製されたＴ形ブッシングモールド２を有する。即ち、Ｔ形ブッシングモールド２は、スリーブ状の接続導体３Ａを一体に成型した水平部２Ａと、この接続導体３Ａから下方へと垂直に延在した通電導体３Ｂを内部に一体に成型した垂直部２Ｂとにて構成される。このＴ形ブッシングモールド２は、その表面に導電塗料が塗布され、又、支持金具４にて変圧器本体ケース１０１に固定される。
【００２０】
Ｔ形ブッシングモールド２の水平部２Ａには、本実施例では図面右側には送電ケーブルとされる高圧側ケーブル３０の通電接続部、即ち、ケーブル接続材料（オス側）３１が装着され、又、他方側（図面左側）には絶縁栓５０が装着される。
【００２１】
本実施例にて、高圧用ケーブル３０のケーブル接続材料（オス側）３１は、当業者には周知のプレハブ構造とされ、ケーブル３０の先端部に形成された接続端子（プラグ及びマルチラムバンド）３２、ストレスコーン３３、ケーブル保護金具３４、圧縮装置３５などの接続部品により、上記ブッシング内接続部のスリーブ状導体３Ａに接続される。絶縁栓５０は、絶縁棒５１、及びこの絶縁棒５１の周囲に形成されたストレスコーン５２、蓋５３、圧縮装置５４などの絶縁栓部品によりブッシング１の母線接続端部とは反対側の端部を電気的に封鎖する。絶縁栓５０を除去することにより、この接続端部に耐電圧試験ケーブルの接続材料を接続することが可能となる。
【００２２】
変圧器本体ケース１０１内にて、高圧ブッシング１の接続端子６は、変圧器入力端子１０８に接続され、又、低圧ブッシング１０７の接続端子１０９は、変圧器出力端子１０９に接続される。
【００２３】
本発明によれば、Ｔ形ブッシングモールド２の垂直部２Ｂは、従来のものに比較するとその長さが長く、例えば、従来の１０倍程度とされる。そして、この首長とされる垂直部２Ｂに、好ましくは、ケース上壁１０１Ａに近接した領域に位置して、変流器２００が設置される。変流器２００は、このＴ形ブッシングモールド２の首長垂直部２Ｂ内部の通電導体３Ｂに流れる電流を計測して送電状態を常時監視することができる。
【００２４】
本発明では、変圧器１００内に充満される絶縁媒体は、その油面１０４Ａが、Ｔ形ブッシングモールド２の首長垂直部２Ｂの下方位置に形成されたベルマウス部の下方位置より若干上方の位置にまで達するように、変圧器本体ケース１０１内に充填される。
【００２５】
本発明によれば、コンサベータを設けることなく、変圧器本体ケース内の油が周囲温度及び負荷の変化に伴い発生する油の膨張、収縮を六フッ化イオウ（ＳＦ6）ガス１０４を充満したケース上部空間部にて吸収し得る。
【００２６】
又、本発明によれば、上述のように、変流器２００をケース１０１内に収め、又、コンサベータ１０５をなくすことができたので、変圧器全体の大きさを大幅に小型化することができる。
【００２７】
更に、変圧器１００に送電ケーブル３０を接続する作業においても、変流器２００は、予め高圧ブッシング１に取り付けられているので、接続された送電ケーブル３０に変流器２００を装着しなければならないといった作業上の煩雑さも解消される。
【００２８】
【発明の効果】
以上説明したように、本発明の変圧器は、高圧側ケーブルの接続材料が水平部に装着され、首長垂直モールド部を有し、かつ前記首長垂直モールド部の下方位置にベルマウス部を有する、モールド部表面に導電塗料が塗布されたＴ形の高圧ブッシングを、変圧器本体ケースの上壁外面に設置し、前記変圧器本体ケース内の絶縁媒体は、その油面が、前記ベルマウス部の下方位置より上方の位置とされるまで充満され、前記変圧器本体ケース内の上部空間部には、不活性ガスが充満され、前記首長垂直モールド部の前記上部空間部に位置する部分には変流器を設置した構成とされるので、コンサベータを不要とし、更に、変流器は、変圧器本体ケース内に設けられるので、小型化を達成すると共に、変圧器に送電ケーブルを接続するに際しての作業上の煩雑さをもなくすることができる。
【図面の簡単な説明】
【図１】本発明に係る変圧器の一実施例を示す概略構成図である。
【図２】高圧ブッシングの一実施例を示す概略構成図である。
【図３】従来の変圧器の概略構成図である。
【符号の説明】
１              高圧ブッシング
２Ｂ            首長垂直モールド部
３              通電導体
３０            高圧側ケーブル
３１            ケーブル接続材料
１０１          変圧器本体ケース
１０３          絶縁媒体（油）
１０４          不活性ガス
１０５          コンサベータ
２００          変流器
【図１】
0004875231.tif 000002
【図２】
0004875231.tif 000003
【図３】
0004875231.tif 000004